(57)【要約】【課題】本文頁を自在に展開して頁毎に又は連続する複数の頁に跨って文章や絵を表現でき、物品を収納できかつそれを容易に外から見ることができる書籍類の構造を提供する。【解決手段】絵本１は表紙２と裏表紙３と背表紙４と本文頁紙５とが１枚の長尺の紙からなる。本文頁紙は、裏表紙の小口部分３ａから見開き方向に延長する１枚の連続紙を小口部分で内側に折り曲げかつ複数の折り目７に沿って交互に逆向きに折り畳まれて表紙と裏表紙の間に挟み込まれ、絵本を読むときには、小口部分を内側に折った状態又は開いた状態で各頁５ａを順に見開いたり全頁を展開する。表紙の裏面には物品収納部６が一体に貼着され、物品収納部を貫通する複数の物品収納穴８に付録等の物品を収納する。物品収納穴は表紙に設けた複数の透明シートの窓９から中を覗くことができる。【選択図】図２
0003125984.tif 000002
【実用新案登録請求の範囲】
【請求項１】
表紙と裏表紙と背表紙と本文頁紙と物品収納部とを有し、前記表紙、背表紙、裏表紙及び本文頁紙がこの順で連続する１枚の紙からなり、前記本文頁紙が裏表紙の小口部で内側に折り曲げられ、かつ所定の間隔で複数の折り目に沿って交互に逆向きに折り畳まれ、前記物品収納部が前記表紙の裏面に一体に貼着され、かつ背幅方向に貫通する少なくとも１つの物品収納穴を有し、前記表紙が前記物品収納穴に対応する位置に透明シートで閉じた窓を有することを特徴とする書籍類の構造。
【請求項２】
前記物品収納部がその背側の端部に一体に取り付けられて前記物品収納穴を開閉する蓋紙を更に有することを特徴とする請求項１に記載の書籍類の構造。
【考案の詳細な説明】
【技術分野】
【０００１】
本考案は、絵や文章を記載した本文に加えて、付録などの物品を出し入れ可能に収納することができる絵本などの書籍や雑誌、ノート等の様々な書籍類の構造に関する。
【背景技術】
【０００２】
従来、絵本などの書籍類において、文字や絵を記載した本文だけでなく、付録等の物品を収納できるようにして、読者の楽しみを増すことができるようにした構造が知られている（例えば、特許文献１乃至３を参照）。このような構造の書籍には、厚紙からなる表紙又は頁紙葉に透孔を設けて、その中に容器体とカバー体とを備える物品収納体を嵌め込んだり、貫通穴を設けた容器を表紙又は裏表紙の裏面に貼り付けかつ本文頁と共に重ねて書籍状にしたものがある。
【０００３】
また、書籍には、本文頁の紙葉を背側で綴じ込むのではなく、数重に折り畳んだ頁材の一端を背部で折曲した表紙又は裏表紙に固定し、各頁を展開できるようにしたものが知られている（例えば、特許文献４を参照）。更に、このように折り畳んだ状態で表紙と裏表紙との間に収容される本文に加えて、記録媒体の収納ホルダーを裏表紙の裏面に貼り付けた絵本が知られている（例えば、特許文献５を参照）。
【０００４】
【特許文献１】実公平７−３６７７９号公報
【特許文献２】実用新案登録第３０８６５２２号公報
【特許文献３】特開２００４−３４５６５号公報
【特許文献４】実用新案登録第３０４２４５２号公報
【特許文献５】実用新案登録第３０８１０３９号公報
【考案の開示】
【考案が解決しようとする課題】
【０００５】
一般に絵本は、ストーリーの内容や描き方によって、頁毎に限られた紙面ではなく、連続する複数の頁に展開して表現した方が好ましい場合がある。また、ストーリーに現れるキャラクターなどが付録として附属していると、読者の楽しみが増すことは、上述した従来技術においてもよく知られるところである。しかも、この付録等の物品が絵本を閉じた状態で（又は、店頭などで包装された状態で）外から確認することができれば、その絵本に対する興味や関心を喚起させ、購買意欲又は読書意欲を増大させることができる。しかしながら、これらの問題を同時に解消することができる絵本等の書籍類は未だ実現されていない。
【０００６】
そこで本考案は、上述した従来の問題点に鑑みてなされたものであり、その目的は、ストーリーの内容や描き方に応じて、本文頁を自在に展開して頁毎に又は連続する複数の頁に跨って文章や絵を表現することができ、ストーリーに関連する物品を収納しかつ収納した物品を容易に外から見ることができる書籍類の構造を提供することにある。
【課題を解決するための手段】
【０００７】
本考案によれば、上記目的を達成するために、表紙と裏表紙と背表紙と本文頁紙と物品収納部とを有し、表紙、背表紙、裏表紙及び本文頁紙がこの順で連続する１枚の紙からなり、本文頁紙が裏表紙の小口部で内側に折り曲げられ、かつ所定の間隔で複数の折り目に沿って交互に逆向きに折り畳まれ、物品収納部が表紙の裏面に一体に貼着され、かつ背幅方向に貫通する少なくとも１つの物品収納穴を有し、表紙が物品収納穴に対応する位置に透明シートで閉じた窓を有する書籍類の構造が提供される。
【０００８】
このように書籍類の物品収納部を構成することによって、書籍類の購買者又は読者は、物品収納穴の中に収納した付録等の物品を、書籍類を閉じた状態で表紙の外側から窓を通して覗き見ることができる。それにより、購買者又は読者は付録等の物品を容易に確認することができ、その書籍類に対する興味や関心を喚起させ、購買意欲又は読書意欲を増大させることができる。
【０００９】
或る実施例では、物品収納部がその背側の端部に一体に取り付けられて物品収納穴を開閉する蓋紙を更に有し、それにより、本文頁紙を開いたときに物品収納穴の中から物品が不用意に落下することが防止される。
【考案を実施するための最良の形態】
【００１０】
以下に、添付図面を参照しつつ、本考案の好適な実施例を詳細に説明する。
図１乃至図３は、本考案を適用した絵本の好適な実施例を示している。本実施例の絵本１は、表紙２と裏表紙３と背表紙４とを有する。表紙２と裏表紙３との間には、絵本の内容である絵や文章を記載する本文頁紙５と、絵本の付録などを収納するための物品収納部６とが挟み込まれている。
【００１１】
本文頁紙５は、裏表紙３の小口部３ａから絵本１の見開き方向に延長する１枚の連続紙からなる。本実施例では、表紙２と背表紙４と裏表紙３と本文頁紙５とが、この順に連続する１枚の長尺の紙で構成される。別の実施例では、表紙２、背表紙４、裏表紙３及び本文頁紙５の全部又はその一部を別個の紙葉で作成しかつ、例えばそれらに別の薄紙等を重ねて一体に連結することもできる。本文頁紙５は、図１に示すように絵本１を閉じた状態において、前記小口部で内側に折り曲げられ、かつ一定の間隔で設けられた複数の縦方向の折り目７に沿って交互に逆向きに折り畳まれる。
【００１２】
本文頁紙５は、その表裏両面に絵や文章を記載することができる。絵本１を読むとき、本文頁紙５は、小口部３ａを内側に折った状態又は開いた状態で表側又は裏側の各頁５ａを順に見開いたり、図３に示すように表側又は裏側の全頁を展開する。
【００１３】
物品収納部６は、表紙２と略同じ縦横寸法及び所定の厚さを有する直方体をなし、表紙２の裏面に一体に貼着されている。物品収納部６には、これを背幅方向に貫通する複数の物品収納穴８が設けられている。物品収納部６は、例えば紙を折り曲げて箱状に組み立てたり、複数の厚紙を前記所定の厚さに積層したものやスチロール、ウレタンなどの発泡材料に貫通穴を開設したり、プラスチック材料で一体成形することにより形成することができる。
【００１４】
表紙２には、各物品収納穴８にそれぞれ対応する位置に複数の窓９が設けられている。各窓９は、表紙２の表側から物品収納穴８を覗くことができるように、プラスチックフィルムなどの透明シート１０で閉じられている。
【００１５】
物品収納穴８には、例えば絵本１の付録等の物品（図示せず）が収納され、図２のように絵本を開くと取り出すことができる。また、図１のように絵本１を閉じた状態で、物品収納穴８内の物品を表紙２の外から見ることができる。
【００１６】
図４（Ａ）及び（Ｂ）は、本考案による絵本の変形例を示している。この変形例は、物品収納穴８を自在に開閉する蓋紙１１が物品収納部６に追加されている点において、図１乃至図３の実施例と異なる。蓋紙１１は、物品収納部６と略同じ縦横寸法を有する矩形厚紙からなる。蓋紙１１と物品収納部６とは、図４（Ｂ）に示すように、互いに背側の端部で一体にかつ開閉可能に取り付けられている。
【００１７】
物品収納部６に対面する蓋紙１１の内面１１ａには、小口側の上下両端付近にそれぞれ留め具１２が設けられている。物品収納部内面６ａには、蓋紙１１の留め具１２に対応する位置にそれぞれ留め具１３が設けられている。留め具１２，１３には、例えばベルクロテープを用いることができる。
【００１８】
絵本１の本文頁紙５を読むときは、図４（Ａ）に示すように蓋紙１１を閉じて、物品収納穴８から物品が落下しないようにすることができる。物品収納穴８から前記物品を取り出すときは、図４（Ａ）に示すように蓋紙１１を開いて、物品収納穴８を開放する。
【００１９】
以上、本考案の好適な実施例について説明したが、当業者に明らかなように、本考案は上記実施例に限定されるものでなく、これに様々な変形・変更を加えて実施することができる。例えば、本考案は、絵本以外の様々な書籍、雑誌、ノートなど他の書籍類についても同様に適用することができる。
【図面の簡単な説明】
【００２０】
【図１】本考案による絵本の好適な実施例を表紙側から示す斜視図である。
【図２】図１の絵本を表紙側の物品収容部を開いた状態で示す斜視図である。
【図３】図２において本文頁紙を展開した状態で示す斜視図である。
【図４】（Ａ）図は本考案による絵本の変形例を示す図２と同様の斜視図、（Ｂ）図は（Ａ）図において物品収容部の蓋紙を開いた状態を示す斜視図である。
【符号の説明】
【００２１】
１…絵本、２…表紙、３…裏表紙、３ａ…小口部、４…背表紙、５…本文頁紙、５ａ…頁、６…物品収納部、６ａ…内面、７…折り目、８…物品収納穴、９…窓、１０…透明シート、１１…蓋紙、１１ａ…内面、１２，１３…留め具。
【図１】
0003125984.tif 000003
【図２】
0003125984.tif 000004
【図３】
0003125984.tif 000005
【図４】
0003125984.tif 000006